(57)【要約】【課題】  衣服掛けだけてはなく、ケープやマフラー、ブランケット、ひざ掛け、タオル等の比較的幅広の長尺物、あるいはハンドバックやショルダーバック等の手掛け鞄あるいは肩掛け鞄を容易に掛けることができるようにした椅子を提供する。【解決手段】  座部２の左右に立ち上げた１対の縦６、６を、それぞれ背凭れ７の上部後方に廻し込むように延出させるとともに、それらの延出端部８、９同士を近接状態で離間させて対向させることにより、前記離間間隙ａから物品Ｗを挿入して、縦杆６の延出部分をハンガー１０として使用しうるようにする。【選択図】    図１
2009183534.tif 000002
【特許請求の範囲】
【請求項１】
座部と背凭れを備えてなる椅子であって、座部の左右に立ち上げた１対の縦杆を、それぞれ背凭れの上部後方に廻し込むように延出させるとともに、それらの延出端部同士を近接状態で離間させて対向させることにより、前記離間間隙から物品を挿入して、縦杆の延出部分をハンガーとして使用しうるようにしたことを特徴とする椅子。
【請求項２】
左右の縦杆の延出端部同士を、左右方向に対向させた請求項１記載の椅子。
【請求項３】
左右の縦杆の延出端部同士を、前後方向に対向させた請求項１記載の椅子。
【請求項４】
左右の縦杆同士を、両縦杆の延出端部よりも前方において、連結横杆により連結した請求項１〜３のいずれかに記載の椅子。
【請求項５】
縦杆を背凭れ支持フレームとした請求項１〜４のいずれかに記載の椅子。
【請求項６】
座部と背凭れを備えてなる椅子であって、座部の左右に立ち上げた１対の縦杆のうちの一方を、他方の縦杆に向けて延出して、その延出端部を他方の縦杆に連結するとともに、この他方の縦杆を左右方向に延出して、その延出端部を開放し、この左右方向に延出した部分をハンガーとして使用しうるようにしたことを特徴とする椅子。
【発明の詳細な説明】
【技術分野】
【０００１】
本発明は、例えば結婚式場やパーティ会場、会議室あるいは美術館や博物館等において使用される椅子に関する。
【背景技術】
【０００２】
従来の椅子は、背凭れの後部に、上向きアーチ状の横杆を左右の縦杆間に架設して、両縦杆の左右方向の弾性力を補強するとともに、縦杆と横杆との間の空間に、上着等の衣服や、鞄等の小物類を収容しうるようにしたものがある（特許文献１参照）。
また、椅子の後脚に棚付ハンガーフレームを背凭れの後方に向けて立ち上がるように回動可能に設けて、衣服掛けや小物置きとして利用したものがある（特許文献２参照）。
【０００３】
しかし、前記した特許文献１、２に記載ものは、いずれも衣服掛けや、小物置きとして用いることを目的としていることから、ケープやマフラー、ブランケット、ひざ掛け、あるいはタオル等の比較的幅広の長尺な物品を掛けるには不向きであるばかりでなく、ハンドバックやショルダーバック等の手掛けあるいは肩掛け収容物を掛けることができないという問題があった。
【特許文献１】特開２００５−１０３０４７号公報
【特許文献２】実用新案登録第３０３３７１５号公報
【発明の開示】
【発明が解決しようとする課題】
【０００４】
本発明は、前記の現状に鑑み、衣服掛けだけてはなく、ケープやマフラー、ブランケット、ひざ掛け、タオル等の比較的幅広の長な物品、あるいはハンドバックやショルダーバック等の手掛け鞄あるいは肩掛け鞄を容易に掛けることができるようにした椅子を提供することを目的とする。
【課題を解決するための手段】
【０００５】
上記課題は「特許請求の範囲」の欄における各請求項に記載するように、次のような構成からなる発明によって解決される。
【０００６】
（１）  座部と背凭れを備えてなる椅子であって、座部の左右に立ち上げた１対の縦杆を、それぞれ背凭れの上部後方に廻し込むように延出させるとともに、それらの延出端部同士を近接状態で離間させて対向させることにより、前記離間間隙から物品を挿入して、縦杆の延出部分をハンガーとして使用しうるようにする。
【０００７】
（２）  上記（１）項において、左右の縦杆の延出端部同士を、左右方向に対向させる。
【０００８】
（３）  上記（１）項において、左右の縦杆の延出端部同士を、前後方向に対向させる。
【０００９】
（４）  上記（１）〜（３）項のいずれかにおいて、左右の縦杆同士を、両縦杆の延出端部よりも前方において、連結横杆により連結する。
【００１０】
（５）  上記（１）〜（４）項のいずれかにおいて、縦杆を背凭れ支持フレームとする。
【００１１】
（６）  座部と背凭れを備えてなる椅子であって、座部の左右に立ち上げた１対の縦杆のうちの一方を、他方の縦杆に向けて延出して、その延出端部を他方の縦杆に連結するとともに、この他方の縦杆を左右方向に延出して、その延出端部を開放し、この左右方向に延出した部分をハンガーとして使用しうるようにする。
【発明の効果】
【００１２】
本発明によると、次のような効果が奏せられる。
請求項１記載の発明によると、座部の左右に立ち上げた１対の縦杆を、それぞれ背凭れの上部後方に廻し込むように延出させるとともに、それらの延出端部同士を近接状態で離間させて対向させることにより、前記離間間隙から物品を挿入して、縦杆の延出部分をハンガーとして使用しうるようにしてあるため、ハンガーに、衣服等を上から落とし込むように掛けることができるだけでなく、互いに離間する延出端部同士間の離間間隙を通して、ケープやマフラー、ブランケット、ひざ掛け、タオル等の比較的幅広の長尺な物品を左右から挿入して掛け通すことができるとともに、ハンドバックやショルダーバック等の手掛け鞄あるいは肩掛け鞄も容易に掛けることができる。
【００１３】
請求項２記載の発明によると、左右の縦杆の延出端部同士を、左右方向に対向させてあるため、左右の延出端部のそれぞれに、ケープやマフラー、ブランケット、ひざ掛け、あるいはタオル等の異なる幅の長尺な物品を掛けることができるとともに、比較的幅広の長尺な物品を掛ける際に、左右に離間する延出端部同士の離間間隙を通して、物品の一方の片側を、一方の延出端部に通した後、物品の他方の片側を、他方の延出端部に挿入することにより、長尺な物品も容易に掛けることができる。
また、ハンドバックやショルダーバック等の手掛け鞄あるいは肩掛け鞄を、互いに離間する延出端部同士の離間間隙を通して、容易に掛けることができる。
【００１４】
請求項３記載の発明によると、左右の縦杆の延出端部同士を、前後方向に対向させてあるため、ケープやマフラー、ブランケット、ひざ掛け、あるいはタオル等の比較的幅広の長尺な物品を掛ける際に、前後に離間する延出端部同士の離間間隙を通して、物品を一方向に容易に挿入することができるとともに、ハンドバックやショルダーバック等の手掛け鞄あるいは肩掛け鞄も容易に掛けることができる。
【００１５】
請求項４記載の発明によると、左右の縦杆同士を、両縦杆の延出端部よりも前方において、連結横杆により連結してあるため、左右の縦杆間における強度を高めることができる。
【００１６】
請求項５記載の発明によると、縦杆を背凭れ支持フレームとしてあるため、背凭れを左右の背凭れ支持フレーム間に効果的に支持することができる。
【００１７】
請求項６記載の発明によると、座部の左右に立ち上げた１対の縦杆のうちの一方を、他方の縦杆に向けて延出して、その延出端部を他方の縦杆に連結するとともに、この他方の縦杆を左右方向に延出して、その延出端部を開放し、この左右方向に延出した部分をハンガーとして使用しうるようにしてあるため、ケープやマフラー、ブランケット、ひざ掛け、あるいはタオル等の比較的幅広の長尺な物品を掛ける際に、他方の縦杆における開放端部を通して、物品を一方向に容易に挿入することができるともに、ハンドバックやショルダーバック等の手掛け鞄あるいは肩掛け鞄も容易に掛けることができる。
【発明を実施するための最良の形態】
【００１８】
以下、本発明の実施形態を図面に基づいて詳細に説明する。
図１は、本発明における第１実施形態の椅子を後方上部から見下ろした斜視図である。
【００１９】
図１に示すように、本発明の椅子１は、座部２と、この座部２の前後を支える前脚３および後脚４と、これら左右の前脚３と後脚４との間の下部をそれぞれ連結する前後方向を向く横桟５と、前記座部２の後部における左右に後脚４より連続して立ち上げた１対の縦杆６、６と、これら左右の縦杆６、６間の上部前方に支持された背凭れ７とによって構成されているとともに、左右の縦杆６、６を背凭れ支持フレームとしている。
【００２０】
左右の縦杆６、６の立上り端部６ａ、６ａは、背凭れ７における上部の左右両側部から後方に向けて折曲し、更に背凭れ７の上部後方に廻し込むようにそれぞれ延出してなるとともに、左右方向のほぼ中央に対応する位置で、一方の縦杆６の延出端部８を、他方の縦杆６の延出端部９に近接状態で離間しうるように対向させ、かつそれらの間に離間間隙ａが形成されるようにする。
これにより、左右の縦杆６、６の延出部分を、ハンガー１０として使用できるようにするとともに、このハンガー１０に、衣服等を上から下方に向けて落とし込むように掛けることができるだけでなく、図１に想像線で示すように、ケープやマフラー、ブランケット、ひざ掛け、あるいはタオル等の比較的幅広の長尺な物品Ｗを、左右の縦杆６、６の延出端部８、９間に形成される離間間隙ａから挿入して掛けたり、あるいはハンドバックやショルダーバック等の手掛け鞄あるいは肩掛け鞄を容易に掛けることができるようになっている。
【００２１】
椅子１における左右の縦杆６、６の立上り端部６ａ、６ａ間には、左右の延出端部８、９よりも前方において、連結横杆１１が連結されており、この連結横杆１１を、補強フレームとして、左右の縦杆６、６間の強度を高めるようになっている。
【００２２】
また、椅子１における座部２の下方には、物品載置棚１２が左右の横桟５、５間に渡設され、この物品載置棚１２上に、小物類が載置されて収容されるようになっている。
【００２３】
図２は、本発明における第２実施形態の椅子を後方上部から見下ろした斜視図である。
本実施形態の椅子１３は、左右の縦杆１４、１４の延出端部１５、１６同士を、背凭れ１７の背面視左側寄りに対応する位置で、近接状態でもって離間させて対向させるとともに、それらの間に離間間隙ａが形成されるようにすることにより、ハンガー１８として使用しうるようにしている。
【００２４】
図３は、本発明における第３実施形態の椅子を後方上部から見下ろした斜視図である。
本実施形態の椅子１９は、左右の縦杆２０、２０における両立上り端部のうちの一方の立上り端部２１を、他方の立上り端部２２に向けて、背凭れ２３の上部後方に廻し込むように延出して、互いに連結する。
一方、他方の立上り端部２２は、一方の立上り端部２１に向けて左右方向に延出させるとともに、この延出部２４の延出端部２４ａと、一方の立上り端部２１の延出端部、すなわち他方の立上り端部２２に向けて左右方向に延出する延出部の基端における一方の立上り端部２１の延出端部２１ａとを前後方向に対向させて、開放部ｂが形成されるようにする。
これにより、他方の縦杆２０における立上り端部２２の左右方向に延びる延出部２４を、ハンガー２５として使用しうるようにするとともに、背凭れ２３の上部後方に廻し込むように延出する一方の縦杆２０における立上り端部２１からの延出部２６を、補強フレームとなる連結横杆として左右の縦杆２０、２０間を補強しうるようになっている。
そのため、長手方向に二つ折りの長尺な物品Ｗの一方の片側を、ハンガー２５の開放部ｂに通すだけで、長尺な物品Ｗを容易に掛けることができる。
【図面の簡単な説明】
【００２５】
【図１】本発明における第１実施形態の椅子を後方上部から見下ろした斜視図である。
【図２】本発明における第２実施形態の椅子を後方上部から見下ろした斜視図である。
【図３】本発明における第３実施形態の椅子を後方上部から見下ろした斜視図である。
【符号の説明】
【００２６】
１    椅子
２    座部
３    前脚
４    後脚
５    横桟
６    縦杆（背凭れ支持フレーム）
６ａ  立上り端部
７    背凭れ
８    延出端部
９    延出端部
１０  ハンガー
１１  物品載置棚
１２  連結横杆（補強フレーム）
１３  椅子
１４  縦杆
１５  延出端部
１６  延出端部
１７  背凭れ
１８  ハンガー
１９  椅子
２０  縦杆
２１  立上り端部
２１ａ  延出端部
２２  立上り端部
２３  背凭れ
２４  延出部
２４ａ  延出端部
２５  ハンガー
２６  延出部（補強フレーム）
ａ    間隙
ｂ    開放部
Ｗ    物品
【図１】
2009183534.tif 000003
【図２】
2009183534.tif 000004
【図３】
2009183534.tif 000005